(57)【要約】      （修正有）【課題】新式矩形掛け時計を提供する。【解決手段】主体１１を含み、主体１１の中には時間チャンバ６０を含み、時間チャンバ６０の左壁の中には分針溝１３が設置されており、分針溝１３の中には分針装置１００が設置されており、時間チャンバ６０の頂壁の中には時針チャンバ１９が設置されており、時針チャンバ１９の中には時針装置２００が設置されており、分針溝１３の頂壁の中には動力チャンバが設置されており、動力チャンバの中には駆動装置３００が設置されており、駆動装置３００は動力チャンバの底壁の中に固定的に設置されるモーターを含み、動力チャンバの中にはモーターと伝動できるように設置される主軸が回転できるように設置されており、主軸の頂端には主傘歯車が設置されており、動力チャンバの中には伝動装置４００が設置され、この設備は伝動装置４００によって分針装置１００及び時針装置２００をスライド連動させて時間を表示する。【選択図】図１
2020180956.tif 000002
【特許請求の範囲】
【請求項１】
新式矩形掛け時計であって、主体を含み、前記主体の中には時間チャンバを含み、前記時間チャンバの左壁の中には分針溝が設置されており、前記分針溝の中には分針装置が設置されており、前記時間チャンバの頂壁の中には時針チャンバが設置されており、前記時針チャンバの中には時針装置が設置されており、前記分針溝の頂壁の中には動力チャンバが設置されており、前記動力チャンバの中には駆動装置が設置されており、前記駆動装置は前記動力チャンバの底壁の中に固定的に設置されるモーターを含み、前記動力チャンバの中には前記モーターと伝動できるように設置される主軸が回転できるように設置されており、前記主軸の頂端には主傘歯車が設置されており、前記動力チャンバの中には伝動装置が設置され、
この設備は前記伝動装置によって前記分針装置及び前記時針装置をスライド連動させて時間を表示することを特徴とする新式矩形掛け時計。
【請求項２】
前記伝動装置は前記動力チャンバの中に設置される従軸を含み、前記従軸の前端には前記主傘歯車と噛み合う上傘歯車が設置されており、前記従軸の後端には回転盤が設置されており、前記動力チャンバの中にはスイング盤が設置されており、前記スイング盤と前記回転盤の間にはリンクがヒンジで接続され、前記動力チャンバの中には前記スイング盤と係合される脱進棒が設置されており、前記脱進棒の底端には脱進爪が左右に対称的に設置されており、前記動力チャンバの中には左軸が設置されており、前記左軸の後端には脱進輪が設置されており、前記左軸の前端には下傘歯車が設置されており、前記動力チャンバの底端には分動力チャンバが設置されており、前記分動力チャンバの中には伝動軸が設置されており、前記伝動軸の頂端には前記下傘歯車と噛み合う主傘歯車が設置されており、前記伝動軸の底端には扇形傘歯車が設置され、
前記伝動装置は動力を前記分針装置の中に伝達できることを特徴とする請求項１に記載の新式矩形掛け時計。
【請求項３】
前記分針装置は前記分針溝の中に設置される分針スライダを含み、前記分針スライダの右端には分針が設置されており、前記分針スライダと前記分針溝の底壁との間には第一撥条が弾性的に設置されており、前記分動力チャンバの中には横軸が回転できるように設置されており、前記横軸の外壁には前記扇形傘歯車と噛み合う従傘歯車が設置されており、前記横軸の左端には分針リールが設置されており、前記分針リールと前記分針スライダの間が第一伝動糸によって接続されており、前記分針スライダの左端には第一押えブロックが設置されており、前記横軸の外壁には第一ラチェットが設置されており、前記分針溝の中にはスライド棒がスライドできるように設置されており、前記スライド棒と前記分針溝の底壁の間には第二撥条が弾性的に設置されており、前記スライド棒の頂端には第一歯止めが設置され、
前記分針装置が時間の分を表示することを特徴とする請求項１に記載の新式矩形掛け時計。
【請求項４】
前記時針装置は前記時針チャンバの中に設置される時針スライダを含み、前記時針スライダと前記時針チャンバの右壁の間には第三撥条が弾性的に設置されており、前記時計スライダの底端には時針が設置されており、前記分動力チャンバの右壁の中には時動力チャンバが設置されており、前記横軸の右端にはウォームホイールウォームが設置されており、前記時動力チャンバの中には右軸が設置されており、前記右軸の後端にはウォームホイールが設置されており、前記右軸の前端には正傘歯車が設置されており、前記時針チャンバには縦軸が設置されており、前記縦軸の底端には副傘歯車が設置されており、前記縦軸の頂端には時針リールが設置されており、前記時針リールと前記時針スライダの間が第二伝動糸によって接続されており、前記縦軸の外壁には第二ラチェットが設置されており、前記時針チャンバの中には第二歯止めがスライドできるように設置されており、前記第二歯止めと前記時針チャンバの底壁には第四撥条が弾性的に設置されており、前記時針チャンバの中には伝動ベルトが回転できるように設置されており、前記伝動ベルトと前記時針スライダとが固定的に接続されており、前記伝動ベルトの外壁には第二支えブロックが設置され、
前記時針装置は時間の時を表示することを特徴とする請求項１に記載の新式矩形掛け時計。
【発明の詳細な説明】
【技術分野】
【０００１】
本発明は部屋用品分野を取り上げて、具体的には新式矩形掛け時計である。
【背景技術】
【０００２】
時計は時間を記録する重要な工具の一つ、そのため、ほとんどの家庭は掛け時計を買って時間を表示し、現在、掛け時計の文字盤は大体円型に分布され、時針と分針はすべて円形の回転によって時間を表示し、結構が単一であり、表示が味気なく、使用者の独特な個性を際だてなく、そのため、本発明は表示が独特で横縦に作動する矩形掛け時計を設計する。
【先行技術文献】
【特許文献】
【０００３】
【特許文献１】中国特許出願公開第１０３１３５４３１号明細書
【発明の概要】
【発明が解決しようとする課題】
【０００４】
本発明の目的は新式矩形掛け時計を提供し、現有の技術の上記欠点を克服できる。
【課題を解決するための手段】
【０００５】
本発明の新式矩形掛け時計は、主体を含み、前記主体の中には時間チャンバを含み、前記時間チャンバの左壁の中には分針溝が設置されており、前記分針溝の中には分針装置が設置されており、前記時間チャンバの頂壁の中には時針チャンバが設置されており、前記時針チャンバの中には時針装置が設置されており、前記分針溝の頂壁の中には動力チャンバが設置されており、前記動力チャンバの中には駆動装置が設置されており、前記駆動装置は前記動力チャンバの底壁の中に固定的に設置されるモーターを含み、前記動力チャンバの中には前記モーターと伝動できるように設置される主軸が回転できるように設置されており、前記主軸の頂端には主傘歯車が設置されており、前記動力チャンバの中には伝動装置が設置され、
この設備は前記伝動装置によって前記分針装置及び前記時針装置をスライド連動させて時間を表示する。
【０００６】
更なる技術方案、前記伝動装置は前記動力チャンバの中に設置される従軸を含み、前記従軸の前端には前記主傘歯車と噛み合う上傘歯車が設置されており、前記従軸の後端には回転盤が設置されており、前記動力チャンバの中にはスイング盤が設置されており、前記スイング盤と前記回転盤の間にはリンクがヒンジで接続され、前記動力チャンバの中には前記スイング盤と係合される脱進棒が設置されており、前記脱進棒の底端には脱進爪が左右に対称的に設置されており、前記動力チャンバの中には左軸が設置されており、前記左軸の後端には脱進輪が設置されており、前記左軸の前端には下傘歯車が設置されており、前記動力チャンバの底端には分動力チャンバが設置されており、前記分動力チャンバの中には伝動軸が設置されており、前記伝動軸の頂端には前記下傘歯車と噛み合う主傘歯車が設置されており、前記伝動軸の底端には扇形傘歯車が設置され、
前記伝動装置は動力を前記分針装置の中に伝達できる。
【０００７】
前記分針装置は前記分針溝の中に設置される分針スライダを含み、前記分針スライダの右端には分針が設置されており、前記分針スライダと前記分針溝の底壁との間には第一撥条が弾性的に設置されており、前記分動力チャンバの中には横軸が回転できるように設置されており、前記横軸の外壁には前記扇形傘歯車と噛み合う従傘歯車が設置されており、前記横軸の左端には分針リールが設置されており、前記分針リールと前記分針スライダの間が第一伝動糸によって接続されており、前記分針スライダの左端には第一押えブロックが設置されており、前記横軸の外壁には第一ラチェットが設置されており、前記分針溝の中にはスライド棒がスライドできるように設置されており、前記スライド棒と前記分針溝の底壁の間には第二撥条が弾性的に設置されており、前記スライド棒の頂端には第一歯止めが設置され、
前記分針装置が時間の分を表示する。
【０００８】
更なる技術方案、前記時針装置は前記時針チャンバの中に設置される時針スライダを含み、前記時針スライダと前記時針チャンバの右壁の間には第三撥条が弾性的に設置されており、前記時計スライダの底端には時針が設置されており、前記分動力チャンバの右壁の中には時動力チャンバが設置されており、前記横軸の右端にはウォームホイールウォームが設置されており、前記時動力チャンバの中には右軸が設置されており、前記右軸の後端にはウォームホイールが設置されており、前記右軸の前端には正傘歯車が設置されており、前記時針チャンバには縦軸が設置されており、前記縦軸の底端には副傘歯車が設置されており、前記縦軸の頂端には時針リールが設置されており、前記時針リールと前記時針スライダの間が第二伝動糸によって接続されており、前記縦軸の外壁には第二ラチェットが設置されており、前記時針チャンバの中には第二歯止めがスライドできるように設置されており、前記第二歯止めと前記時針チャンバの底壁には第四撥条が弾性的に設置されており、前記時針チャンバの中には伝動ベルトが回転できるように設置されており、前記伝動ベルトと前記時針スライダとが固定的に接続されており、前記伝動ベルトの外壁には第二支えブロックが設置され、
前記時針装置は時間の時を表示する。
【発明の効果】
【０００９】
本発明の有益な効果は：本発明は結構が簡単で、保護が便利で、表示が独特で、家主の特別な性格を際立て、部屋の設計が単一過ぎないように避け、そのためこの設備は高い使用と宣伝する価値がある。
【図面の簡単な説明】
【００１０】
発明実施例或いは現有の技術の技術方案を更にはっきり説明するため、以下は実施例或いは現有の技術に説明する使われる附図において簡単に紹介する。
【００１１】
【図１】図１は本発明の新式矩形掛け時計の全体構成模式図
【図２】図２は図１のＡの構成模式図
【図３】図３は図１のＢの構成模式図
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示すように、本発明の新式矩形掛け時計は、主体１１を含み、前記主体１１の中には時間チャンバ６０を含み、前記時間チャンバ６０の左壁の中には分針溝１３が設置されており、前記分針溝１３の中には分針装置１００が設置されており、前記時間チャンバ６０の頂壁の中には時針チャンバ１９が設置されており、前記時針チャンバ１９の中には時針装置２００が設置されており、前記分針溝１３の頂壁の中には動力チャンバ３３が設置されており、前記動力チャンバ３３の中には駆動装置３００が設置されており、前記駆動装置３００は前記動力チャンバ３３の底壁の中に固定的に設置されるモーター４１を含み、前記動力チャンバ３３の中には前記モーター４１と伝動できるように設置される主軸４０が回転できるように設置されており、前記主軸４０の頂端には主傘歯車３９が設置されており、前記動力チャンバ３３の中には伝動装置４００が設置され、
この設備は前記伝動装置４００によって前記分針装置１００及び前記時針装置２００をスライド連動させて時間を表示する。
【００１４】
有益なように、前記伝動装置４００は前記動力チャンバ３３の中に設置される従軸３８を含み、前記従軸３８の前端には前記主傘歯車３９と噛み合う上傘歯車３７が設置されており、前記従軸３８の後端には回転盤３６が設置されており、前記動力チャンバ３３の中にはスイング盤３４が設置されており、前記スイング盤３４と前記回転盤３６の間にはリンク３５がヒンジで接続され、前記動力チャンバ３３の中には前記スイング盤３４と係合される脱進棒４２が設置されており、前記脱進棒４２の底端には脱進爪４３が左右に対称的に設置されており、前記動力チャンバ３３の中には左軸４６が設置されており、前記左軸４６の後端には脱進輪４４が設置されており、前記左軸４６の前端には下傘歯車４５が設置されており、前記動力チャンバ３３の底端には分動力チャンバ５４が設置されており、前記分動力チャンバ５４の中には伝動軸５１が設置されており、前記伝動軸５１の頂端には前記下傘歯車４５と噛み合う主傘歯車４７が設置されており、前記伝動軸５１の底端には扇形傘歯車５３が設置され、
前記伝動装置４００は動力を前記分針装置１００の中に伝達できる。
【００１５】
有益なように、前記分針装置１００は前記分針溝１３の中に設置される分針スライダ１２を含み、前記分針スライダ１２の右端には分針２１が設置されており、前記分針スライダ１２と前記分針溝１３の底壁との間には第一撥条１４が弾性的に設置されており、前記分動力チャンバ５４の中には横軸５０が回転できるように設置されており、前記横軸５０の外壁には前記扇形傘歯車５３と噛み合う従傘歯車５６が設置されており、前記横軸５０の左端には分針リール４８が設置されており、前記分針リール４８と前記分針スライダ１２の間が第一伝動糸１５によって接続されており、前記分針スライダ１２の左端には第一押えブロック５５が設置されており、前記横軸５０の外壁には第一ラチェット４９が設置されており、前記分針溝１３の中にはスライド棒５７がスライドできるように設置されており、前記スライド棒５７と前記分針溝１３の底壁の間には第二撥条５８が弾性的に設置されており、前記スライド棒５７の頂端には第一歯止め５２が設置され、
前記分針装置１００が時間の分を表示する。
【００１６】
有益なように、前記時針装置２００は前記時針チャンバ１９の中に設置される時針スライダ１６を含み、前記時針スライダ１６と前記時針チャンバ１９の右壁の間には第三撥条１８が弾性的に設置されており、前記時計スライダ１６の底端には時針２０が設置されており、前記分動力チャンバ５４の右壁の中には時動力チャンバ６１が設置されており、前記横軸５０の右端にはウォームホイールウォーム２２が設置されており、前記時動力チャンバ６１の中には右軸２５が設置されており、前記右軸２５の後端にはウォームホイール２３が設置されており、前記右軸２５の前端には正傘歯車２４が設置されており、前記時針チャンバ１９には縦軸２７が設置されており、前記縦軸２７の底端には副傘歯車２６が設置されており、前記縦軸２７の頂端には時針リール３２が設置されており、前記時針リール３２と前記時針スライダ１６の間が第二伝動糸１７によって接続されており、前記縦軸２７の外壁には第二ラチェット３１が設置されており、前記時針チャンバ１９の中には第二歯止め３０がスライドできるように設置されており、前記第二歯止め３０と前記時針チャンバ１９の底壁には第四撥条２９が弾性的に設置されており、前記時針チャンバ１９の中には伝動ベルト２８が回転できるように設置されており、前記伝動ベルト２８と前記時針スライダ１６とが固定的に接続されており、前記伝動ベルト２８の外壁には第二支えブロック５９が設置され、
前記時針装置２００は時間の時を表示する。
【００１７】
この設備を使用する時、モーター４１が始動して主軸４０によって主傘歯車３９を回転連動させ、それにより上傘歯車３７と、従軸３８と、回転盤３６と、リンク３５によってスイング盤３４を左右にスイング連動させ、それにより脱進棒４２が脱進爪４３を左右にスイング連動させ、脱進輪４４を回転連動させ、それにより左軸４６と、下傘歯車４５と、主傘歯車４７と、伝動軸５１と扇形傘歯車５３と、従傘歯車５６と、横軸５０と、分針リール４８と、第一伝動糸１５によって、分針２１を下へスライド連動させ、分針スライダ１２が分針溝１３の最低端にスライドする時、第一押えブロック５５とスライド棒５７とが係合されてスライド棒５７を下へスライド連動させ、それにより第一歯止め５２を下へスライド連動させて第一ラチェット４９との係合状態から離脱させ、分針スライダ１２が上へスライドして次の循環に入り、この同時、横軸５０はウォームホイールウォーム２２と、ウォームホイール２３と、右軸２５と、正傘歯車２４と、副傘歯車２６と、縦軸２７と、時針リール３２と、第二伝動糸１７と、時針スライダ１６によって時針２０を右へスライド連動させ、同時に、時針スライダ１６が伝動ベルト２８によって第二支えブロック５９を左にスライド連動させ、時針スライダ１６が時針チャンバ１９の最右端にスライドする時、第二支えブロック５９と第二歯止め３０とが係合され、第二歯止め３０と第二ラチェット３１とが係合状態から離脱し、時針スライダ１６が左へスライドして次の循環に入る。
【００１８】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。
【図１】
2020180956.tif 000003
【図２】
2020180956.tif 000004
【図３】
2020180956.tif 000005
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
新式矩形掛け時計であって、主体を含み、前記主体の中には時間チャンバを含み、前記時間チャンバの左壁の中には分針溝が設置されており、前記分針溝の中には分針装置が設置されており、前記時間チャンバの頂壁の中には時針チャンバが設置されており、前記時針チャンバの中には時針装置が設置されており、前記分針溝の頂壁の中には動力チャンバが設置されており、前記動力チャンバの中には駆動装置が設置されており、前記駆動装置は前記動力チャンバの底壁の中に固定的に設置されるモーターを含み、前記動力チャンバの中には前記モーターと伝動できるように設置される主軸が回転できるように設置されており、前記主軸の頂端には主傘歯車が設置されており、前記動力チャンバの中には伝動装置が設置され、
この設備は前記伝動装置によって前記分針装置及び前記時針装置をスライド連動させて時間を表示することを特徴とする新式矩形掛け時計。
【請求項２】
前記伝動装置は前記動力チャンバの中に設置される従軸を含み、前記従軸の前端には前記主傘歯車と噛み合う上傘歯車が設置されており、前記従軸の後端には回転盤が設置されており、前記動力チャンバの中にはスイング盤が設置されており、前記スイング盤と前記回転盤の間にはリンクがヒンジで接続され、前記動力チャンバの中には前記スイング盤と係合される脱進棒が設置されており、前記脱進棒の底端には脱進爪が左右に対称的に設置されており、前記動力チャンバの中には左軸が設置されており、前記左軸の後端には脱進輪が設置されており、前記左軸の前端には下傘歯車が設置されており、前記動力チャンバの底端には分動力チャンバが設置されており、前記分動力チャンバの中には伝動軸が設置されており、前記伝動軸の頂端には前記下傘歯車と噛み合う主傘歯車が設置されており、前記伝動軸の底端には扇形傘歯車が設置され、
前記伝動装置は動力を前記分針装置の中に伝達できることを特徴とする請求項１に記載の新式矩形掛け時計。
【請求項３】
前記分針装置は前記分針溝の中に設置される分針スライダを含み、前記分針スライダの右端には分針が設置されており、前記分針スライダと前記分針溝の底壁との間には第一撥条が弾性的に設置されており、前記分動力チャンバの中には横軸が回転できるように設置されており、前記横軸の外壁には前記扇形傘歯車と噛み合う従傘歯車が設置されており、前記横軸の左端には分針リールが設置されており、前記分針リールと前記分針スライダの間が第一伝動糸によって接続されており、前記分針スライダの左端には第一押えブロックが設置されており、前記横軸の外壁には第一ラチェットが設置されており、前記分針溝の中にはスライド棒がスライドできるように設置されており、前記スライド棒と前記分針溝の底壁の間には第二撥条が弾性的に設置されており、前記スライド棒の頂端には第一歯止めが設置され、
前記分針装置が時間の分を表示することを特徴とする請求項２に記載の新式矩形掛け時計。
【請求項４】
前記時針装置は前記時針チャンバの中に設置される時針スライダを含み、前記時針スライダと前記時針チャンバの右壁の間には第三撥条が弾性的に設置されており、前記時針スライダの底端には時針が設置されており、前記分動力チャンバの右壁の中には時動力チャンバが設置されており、前記横軸の右端にはウォームホイールウォームが設置されており、前記時動力チャンバの中には右軸が設置されており、前記右軸の後端にはウォームホイールが設置されており、前記右軸の前端には正傘歯車が設置されており、前記時針チャンバには縦軸が設置されており、前記縦軸の底端には副傘歯車が設置されており、前記縦軸の頂端には時針リールが設置されており、前記時針リールと前記時針スライダの間が第二伝動糸によって接続されており、前記縦軸の外壁には第二ラチェットが設置されており、前記時針チャンバの中には第二歯止めがスライドできるように設置されており、前記第二歯止めと前記時針チャンバの底壁には第四撥条が弾性的に設置されており、前記時針チャンバの中には伝動ベルトが回転できるように設置されており、前記伝動ベルトと前記時針スライダとが固定的に接続されており、前記伝動ベルトの外壁には第二支えブロックが設置され、
前記時針装置は時間の時を表示することを特徴とする請求項３に記載の新式矩形掛け時計。
【手続補正２】
【補正対象書類名】明細書
【補正対象項目名】全文
【補正方法】変更
【補正の内容】
【発明の詳細な説明】
【技術分野】
【０００１】
本発明は部屋用品分野を取り上げて、具体的には新式矩形掛け時計である。
【背景技術】
【０００２】
時計は時間を記録する重要な工具の一つ、そのため、ほとんどの家庭は掛け時計を買って時間を表示し、現在、掛け時計の文字盤は大体円型に分布され、時針と分針はすべて円形の回転によって時間を表示し、結構が単一であり、表示が味気なく、使用者の独特な個性を際だてなく、そのため、本発明は表示が独特で横縦に作動する矩形掛け時計を設計する。
【先行技術文献】
【特許文献】
【０００３】
【特許文献１】中国特許出願公開第１０３１３５４３１号明細書
【発明の概要】
【発明が解決しようとする課題】
【０００４】
本発明の目的は新式矩形掛け時計を提供し、現有の技術の上記欠点を克服できる。
【課題を解決するための手段】
【０００５】
本発明の新式矩形掛け時計は、主体を含み、前記主体の中には時間チャンバを含み、前記時間チャンバの左壁の中には分針溝が設置されており、前記分針溝の中には分針装置が設置されており、前記時間チャンバの頂壁の中には時針チャンバが設置されており、前記時針チャンバの中には時針装置が設置されており、前記分針溝の頂壁の中には動力チャンバが設置されており、前記動力チャンバの中には駆動装置が設置されており、前記駆動装置は前記動力チャンバの底壁の中に固定的に設置されるモーターを含み、前記動力チャンバの中には前記モーターと伝動できるように設置される主軸が回転できるように設置されており、前記主軸の頂端には主傘歯車が設置されており、前記動力チャンバの中には伝動装置が設置され、
この設備は前記伝動装置によって前記分針装置及び前記時針装置をスライド連動させて時間を表示する。
【０００６】
更なる技術方案、前記伝動装置は前記動力チャンバの中に設置される従軸を含み、前記従軸の前端には前記主傘歯車と噛み合う上傘歯車が設置されており、前記従軸の後端には回転盤が設置されており、前記動力チャンバの中にはスイング盤が設置されており、前記スイング盤と前記回転盤の間にはリンクがヒンジで接続され、前記動力チャンバの中には前記スイング盤と係合される脱進棒が設置されており、前記脱進棒の底端には脱進爪が左右に対称的に設置されており、前記動力チャンバの中には左軸が設置されており、前記左軸の後端には脱進輪が設置されており、前記左軸の前端には下傘歯車が設置されており、前記動力チャンバの底端には分動力チャンバが設置されており、前記分動力チャンバの中には伝動軸が設置されており、前記伝動軸の頂端には前記下傘歯車と噛み合う主傘歯車が設置されており、前記伝動軸の底端には扇形傘歯車が設置され、
前記伝動装置は動力を前記分針装置の中に伝達できる。
【０００７】
前記分針装置は前記分針溝の中に設置される分針スライダを含み、前記分針スライダの右端には分針が設置されており、前記分針スライダと前記分針溝の底壁との間には第一撥条が弾性的に設置されており、前記分動力チャンバの中には横軸が回転できるように設置されており、前記横軸の外壁には前記扇形傘歯車と噛み合う従傘歯車が設置されており、前記横軸の左端には分針リールが設置されており、前記分針リールと前記分針スライダの間が第一伝動糸によって接続されており、前記分針スライダの左端には第一押えブロックが設置されており、前記横軸の外壁には第一ラチェットが設置されており、前記分針溝の中にはスライド棒がスライドできるように設置されており、前記スライド棒と前記分針溝の底壁の間には第二撥条が弾性的に設置されており、前記スライド棒の頂端には第一歯止めが設置され、
前記分針装置が時間の分を表示する。
【０００８】
更なる技術方案、前記時針装置は前記時針チャンバの中に設置される時針スライダを含み、前記時針スライダと前記時針チャンバの右壁の間には第三撥条が弾性的に設置されており、前記時針スライダの底端には時針が設置されており、前記分動力チャンバの右壁の中には時動力チャンバが設置されており、前記横軸の右端にはウォームホイールウォームが設置されており、前記時動力チャンバの中には右軸が設置されており、前記右軸の後端にはウォームホイールが設置されており、前記右軸の前端には正傘歯車が設置されており、前記時針チャンバには縦軸が設置されており、前記縦軸の底端には副傘歯車が設置されており、前記縦軸の頂端には時針リールが設置されており、前記時針リールと前記時針スライダの間が第二伝動糸によって接続されており、前記縦軸の外壁には第二ラチェットが設置されており、前記時針チャンバの中には第二歯止めがスライドできるように設置されており、前記第二歯止めと前記時針チャンバの底壁には第四撥条が弾性的に設置されており、前記時針チャンバの中には伝動ベルトが回転できるように設置されており、前記伝動ベルトと前記時針スライダとが固定的に接続されており、前記伝動ベルトの外壁には第二支えブロックが設置され、
前記時針装置は時間の時を表示する。
【発明の効果】
【０００９】
本発明の有益な効果は：本発明は結構が簡単で、保護が便利で、表示が独特で、家主の特別な性格を際立て、部屋の設計が単一過ぎないように避け、そのためこの設備は高い使用と宣伝する価値がある。
【図面の簡単な説明】
【００１０】
発明実施例或いは現有の技術の技術方案を更にはっきり説明するため、以下は実施例或いは現有の技術に説明する使われる附図において簡単に紹介する。
【００１１】
【図１】図１は本発明の新式矩形掛け時計の全体構成模式図
【図２】図２は図１のＡの構成模式図
【図３】図３は図１のＢの構成模式図
【発明を実施するための形態】
【００１２】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−３に示すように、本発明の新式矩形掛け時計は、主体１１を含み、前記主体１１の中には時間チャンバ６０を含み、前記時間チャンバ６０の左壁の中には分針溝１３が設置されており、前記分針溝１３の中には分針装置１００が設置されており、前記時間チャンバ６０の頂壁の中には時針チャンバ１９が設置されており、前記時針チャンバ１９の中には時針装置２００が設置されており、前記分針溝１３の頂壁の中には動力チャンバ３３が設置されており、前記動力チャンバ３３の中には駆動装置３００が設置されており、前記駆動装置３００は前記動力チャンバ３３の底壁の中に固定的に設置されるモーター４１を含み、前記動力チャンバ３３の中には前記モーター４１と伝動できるように設置される主軸４０が回転できるように設置されており、前記主軸４０の頂端には主傘歯車３９が設置されており、前記動力チャンバ３３の中には伝動装置４００が設置され、
この設備は前記伝動装置４００によって前記分針装置１００及び前記時針装置２００をスライド連動させて時間を表示する。
【００１４】
有益なように、前記伝動装置４００は前記動力チャンバ３３の中に設置される従軸３８を含み、前記従軸３８の前端には前記主傘歯車３９と噛み合う上傘歯車３７が設置されており、前記従軸３８の後端には回転盤３６が設置されており、前記動力チャンバ３３の中にはスイング盤３４が設置されており、前記スイング盤３４と前記回転盤３６の間にはリンク３５がヒンジで接続され、前記動力チャンバ３３の中には前記スイング盤３４と係合される脱進棒４２が設置されており、前記脱進棒４２の底端には脱進爪４３が左右に対称的に設置されており、前記動力チャンバ３３の中には左軸４６が設置されており、前記左軸４６の後端には脱進輪４４が設置されており、前記左軸４６の前端には下傘歯車４５が設置されており、前記動力チャンバ３３の底端には分動力チャンバ５４が設置されており、前記分動力チャンバ５４の中には伝動軸５１が設置されており、前記伝動軸５１の頂端には前記下傘歯車４５と噛み合う主傘歯車４７が設置されており、前記伝動軸５１の底端には扇形傘歯車５３が設置され、
前記伝動装置４００は動力を前記分針装置１００の中に伝達できる。
【００１５】
有益なように、前記分針装置１００は前記分針溝１３の中に設置される分針スライダ１２を含み、前記分針スライダ１２の右端には分針２１が設置されており、前記分針スライダ１２と前記分針溝１３の底壁との間には第一撥条１４が弾性的に設置されており、前記分動力チャンバ５４の中には横軸５０が回転できるように設置されており、前記横軸５０の外壁には前記扇形傘歯車５３と噛み合う従傘歯車５６が設置されており、前記横軸５０の左端には分針リール４８が設置されており、前記分針リール４８と前記分針スライダ１２の間が第一伝動糸１５によって接続されており、前記分針スライダ１２の左端には第一押えブロック５５が設置されており、前記横軸５０の外壁には第一ラチェット４９が設置されており、前記分針溝１３の中にはスライド棒５７がスライドできるように設置されており、前記スライド棒５７と前記分針溝１３の底壁の間には第二撥条５８が弾性的に設置されており、前記スライド棒５７の頂端には第一歯止め５２が設置され、
前記分針装置１００が時間の分を表示する。
【００１６】
有益なように、前記時針装置２００は前記時針チャンバ１９の中に設置される時針スライダ１６を含み、前記時針スライダ１６と前記時針チャンバ１９の右壁の間には第三撥条１８が弾性的に設置されており、前記時針スライダ１６の底端には時針２０が設置されており、前記分動力チャンバ５４の右壁の中には時動力チャンバ６１が設置されており、前記横軸５０の右端にはウォームホイールウォーム２２が設置されており、前記時動力チャンバ６１の中には右軸２５が設置されており、前記右軸２５の後端にはウォームホイール２３が設置されており、前記右軸２５の前端には正傘歯車２４が設置されており、前記時針チャンバ１９には縦軸２７が設置されており、前記縦軸２７の底端には副傘歯車２６が設置されており、前記縦軸２７の頂端には時針リール３２が設置されており、前記時針リール３２と前記時針スライダ１６の間が第二伝動糸１７によって接続されており、前記縦軸２７の外壁には第二ラチェット３１が設置されており、前記時針チャンバ１９の中には第二歯止め３０がスライドできるように設置されており、前記第二歯止め３０と前記時針チャンバ１９の底壁には第四撥条２９が弾性的に設置されており、前記時針チャンバ１９の中には伝動ベルト２８が回転できるように設置されており、前記伝動ベルト２８と前記時針スライダ１６とが固定的に接続されており、前記伝動ベルト２８の外壁には第二支えブロック５９が設置され、
前記時針装置２００は時間の時を表示する。
【００１７】
この設備を使用する時、モーター４１が始動して主軸４０によって主傘歯車３９を回転連動させ、それにより上傘歯車３７と、従軸３８と、回転盤３６と、リンク３５によってスイング盤３４を左右にスイング連動させ、それにより脱進棒４２が脱進爪４３を左右にスイング連動させ、脱進輪４４を回転連動させ、それにより左軸４６と、下傘歯車４５と、主傘歯車４７と、伝動軸５１と扇形傘歯車５３と、従傘歯車５６と、横軸５０と、分針リール４８と、第一伝動糸１５によって、分針２１を下へスライド連動させ、分針スライダ１２が分針溝１３の最低端にスライドする時、第一押えブロック５５とスライド棒５７とが係合されてスライド棒５７を下へスライド連動させ、それにより第一歯止め５２を下へスライド連動させて第一ラチェット４９との係合状態から離脱させ、分針スライダ１２が上へスライドして次の循環に入り、この同時、横軸５０はウォームホイールウォーム２２と、ウォームホイール２３と、右軸２５と、正傘歯車２４と、副傘歯車２６と、縦軸２７と、時針リール３２と、第二伝動糸１７と、時針スライダ１６によって時針２０を右へスライド連動させ、同時に、時針スライダ１６が伝動ベルト２８によって第二支えブロック５９を左にスライド連動させ、時針スライダ１６が時針チャンバ１９の最右端にスライドする時、第二支えブロック５９と第二歯止め３０とが係合され、第二歯止め３０と第二ラチェット３１とが係合状態から離脱し、時針スライダ１６が左へスライドして次の循環に入る。
【００１８】
以上、発明の具体的な実施方法であり、ところが、発明の保護範囲はこれに限らない、創造性労働のない考えた変化や入替えは発明の保護範囲の中に含むべき、だから、発明の保護範囲は特許文献が限定する保護範囲に順するべきである。